(57)【特許請求の範囲】
【請求項１】
畦際土壌を耕耘しながら畦法面へ移す畦際耕耘装置（１）と、この畦法面に土を塗り付ける畦塗装置（２）とを備え、該畦塗装置（２）の前側であって前記畦際耕耘装置（１）の耕耘カバー（３）の横端には、畦法面（Ｃ）への土の移動を案内するサイドカバー（４）を設けた畦塗機において、前記サイドカバー（４）は、耕耘カバー（３）から畦側へ拡縮可能な上面カバー（５）と、この上面カバー（５）の外側端で上下調節可能の側面カバー（６）とから構成し、畦法面（Ｃ）への土壌寄せ量が多いときは上面カバー（５）を外側へ移動させる構成とし、畦法面（Ｃ）への土載せが悪いときは側面カバー（６）を適応高さに上昇させるように構成したことを特徴とする畦塗機。
【発明の詳細な説明】
【０００１】
【発明の属する技術分野】
この発明は、水田の畦に土壌を塗り付ける畦塗機に関する。
【０００２】
【従来の技術】
畦際に耕耘する耕耘装置の横側後部に、この耕耘装置で押寄せられた土壌を畦法面に畦塗板で塗り付ける技術が知られている。
【０００３】
【発明が解決しようとする課題】
畦塗機は、トラクタ車体の後方横側部に偏位されたオフセット形態として装着されて、畦際の土壌を耕耘乃至砕土して畦法面へ移して塗り付ける。簡単な構成で耕耘土壌を畦法面側へ安定よく移して、この土壌を効率よく畦法面に塗付けるようにしたもので、全体として簡潔軽量な構成とするものである。
【０００４】
【課題を解決するための手段】
請求項１に記載の発明は、畦際土壌を耕耘しながら畦法面へ移す畦際耕耘装置（１）と、この畦法面に土を塗り付ける畦塗装置（２）とを備え、該畦塗装置（２）の前側であって前記畦際耕耘装置（１）の耕耘カバー（３）の横端には、畦法面（Ｃ）への土の移動を案内するサイドカバー（４）を設けた畦塗機において、前記サイドカバー（４）は、耕耘カバー（３）から畦側へ拡縮可能な上面カバー（５）と、この上面カバー（５）の外側端で上下調節可能の側面カバー（６）とから構成し、畦法面（Ｃ）への土壌寄せ量が多いときは上面カバー（５）を外側へ移動させる構成とし、畦法面（Ｃ）への土載せが悪いときは側面カバー（６）を適応高さに上昇させるように構成したことを特徴とする畦塗機の構成とする。
【０００５】
【０００６】
【０００７】
【０００８】
【０００９】
【発明の効果】
請求項１に記載の発明は、畦際耕耘装置１で耕耘乃至砕土された土壌は、この耕耘作用によって畦法面Ｃ側へ移行されて、耕耘カバー３とサイドカバー４とによって移行案内され、畦塗装置２の作用位置に盛土される。この畦法面に置かれた土壌を後側の畦塗装置２によって塗り付ける。このため畦塗用の土壌は、畦際耕耘装置１の耕耘作用によって移行され、これを外側のサイドカバー４で案内するため、土壌の案内を円滑に行わせることができ、この畦際耕耘装置１の耕耘軸の他に特別の土壌移送用のオーガ軸等を配置する煩雑な形態を不要として、簡単な構成とすることができる。
【００１０】
また、畦塗土壌を案内するサイドカバー４が、調節可能の上面カバー５と側面カバー６とによって構成されるため、畦際耕耘装置１による土壌寄せ量が多いときは上面カバー５を外側へ移動させる。また、畦法面Ｃへの土載せが悪いときは側面カバー６を適応高さに上昇させる。これにより、このサイドカバー４の外側端と畦法面Ｃとの間隔を調整するような形態として、土壌を畦法面Ｃに正確に円滑に移動させることができ、抵抗の小さい能率的な畦塗作業を行わせることができる。
【００１１】
【００１２】
【００１３】
【００１４】
【００１５】
【００１６】
【発明の実施の形態】
この発明は、畦塗機としてトラクタ車体に装着して、畦際を走行しながら耕耘する土壌を畦法面に叩き付けながら塗付ける。このトラクタ車体１５は、乗用四輪走行形態とするもよく、又、後方にハンドルを有して歩行形態とするハンドトラクタ形態とするもよい。車体１５の後側のヒッチブラケット１９に、畦塗機１７のヒッチアーム１８をヒッチピン２０で連結して、車体１５側のリフトアーム１６によって昇降可能に連結する。２１は乗用トラクタの左右両側の後車輪である。
【００１７】
この畦塗機１７は、前記ヒッチアーム１８の右側に偏位して耕耘伝動ケース２２を下方へ突出させて、この下端部に左右横側の耕耘軸２３，２４を配置して、偏位側の外側に位置する耕耘軸２４には、外側に向けて湾曲する耕耘爪２５を配置して畦際耕耘装置１とし、これら反対側の耕耘軸２３には、内側に向けて湾曲する耕耘爪２６を有して補助耕耘装置７を構成する。
【００１８】
畦塗装置２は、この畦際耕耘装置１の後方において畦Ｂの側に位置して設けられ、前記畦際耕耘装置１で耕耘されて畦法面Ｃに押し寄せられた土壌を畦法面Ｃに塗付ける。
そこで、この発明の実施の形態において、畦際土壌を耕耘しながら畦法面Ｃへ移す畦際耕耘装置１と、この畦法面Ｃに土を塗り付ける畦塗装置２とを備え、この畦際耕耘装置１の耕耘カバー３の横端には、畦法面Ｃへの土の移動を案内するサイドカバー４を設けたことを特徴とする畦塗機の構成として、畦際耕耘装置１の耕耘作用によって耕耘土壌を畦法面Ｃ側へ移行させて、この土壌をサイドカバー４で案内させて、構成を簡単にすると共に、土壌の案内を円滑に行わせる。
【００１９】
前記サイドカバー４は、耕耘カバー３から畦Ｃ側へ拡縮可能の上面カバー５と、この上面カバー５の外側端で上下調節可能の側面カバー６とを有したことを特徴とするもので、上面カバー５及び側面カバー６を畦法面Ｃに接近させて作業条件に適応させた土壌の移行案内を行わせ、能率的な畦塗作業を行わせることができる。
【００２０】
前記畦際耕耘装置１の畦Ｂ側と反対の側には、土壌を耕耘する補助耕耘装置７を設けたことを特徴とするもので、畦際耕耘装置１による耕耘土壌の畦法面Ｃ側への移行、及び畦塗装置２による畦塗の反力を、補助耕耘装置７による耕耘抵抗で受けることによって、畦塗機全体の横揺れを少なくし、偏向走行を少なくして安定した畦塗を行う。
【００２１】
畦法面Ｃに土壌を叩き付ける複数の畦叩板８，９を前後方向に並設して、この下端部の叩板軸１０を支軸として上端側を畦法面Ｃ側へ揺動させて叩くことを特徴とする畦塗機の構成として、畦法面への土壌の付着力を高め、効率的な畦塗を行い、畦法面Ｃにおける畦叩板８，９による土壌の迫り上げをよくして、畦塗効果を高める。
【００２２】
前記畦叩板８，９の畦法面Ｃ側へ傾斜の畦塗角Ａを変更可能に設けたことを特徴とするもので、畦Ｂの形態に応じた畦法面Ｃの傾斜の畦塗角Ａを容易に選択して作業できる。請求項６に記載の発明は、前記畦叩板８，９の上端には、畦頂上面Ｄに土壌を塗り付ける天塗板１１，１２を設けたことを特徴とするもので、構成を簡単にして、この畦叩板８，９で迫り上げられた土壌を畦頂上面Ｄに移行させて、天塗板１１，１２で塗付けるため、畦塗土壌層を維持し易くする。
【００２３】
前記畦叩板８，９の後側には、畦法面Ｃの傾斜方向に沿う塗板軸１３を支軸として揺動して畦塗法面を滑面にする畦塗板１４を設けたことを特徴とするもので、畦法面Ｃに叩き付けられた土壌層に応じて、更に畦塗板１４で押しつけながら、畦塗面を滑らかに形成する。
【００２４】
畦法面に土壌を叩き付ける複数の畦叩板８，９の前側に、上部の支軸５９回りに下端側を畦法面側へ向けて搖動させて土壌を掻き寄せる土寄板５７を設けたことを特徴とする畦塗機の構成として、畦法面Ｃ下部の土壌は上部へ向けて掻き上げられるようになるため、土寄せ効果を高めることができ、畦法面Ｃでの土壌の滑り落ちを少なくして後続の畦叩板８，９による畦塗付け正確に行わせる。
【００２５】
更に図１〜図７に基づいて詳細に説明する。前記ヒッチアーム１８のリフトピン２７に、リフトアーム１６との間のリフトロッド２８が連結されて、畦塗機１７を昇降することができる。このリフトアーム１６の後部右側にはパイプ状のフレーム２９が一体に設けられて、この横端には下方に向かう耕耘伝動ケース２２が前後回動可能にして設けられて、下端部の爪軸３８には左右一対の耕耘軸２３，２４が軸装される。この右側の耕耘軸２４には、爪先を右側の畦側に向けて湾曲させて耕耘土壌を畦側へ移行させることのできる反転面３０を形成の耕耘爪２５を配置して畦際耕耘装置１を形成する。又、左側、即ち車体１５後部の中央部側に位置する耕耘軸２３には、爪先を該耕耘爪２５と同様形態の反転面３０を形成の耕耘爪３１と、この反転面３０とは逆向きの反転面３２を形成の耕耘爪２６とを配置して土壌を平面形態に耕耘する補助耕耘装置７を構成する。
【００２６】
この補助耕耘装置７は、反転面３２を形成した耕耘爪２６を多くしたり、又はこの耕耘爪２６のみで、反転面３０を有した耕耘爪３１は設けない形態とすることによって、畦塗装置２や畦際耕耘装置１の反力に対抗しうる対抗力を増すように構成することもできる。
【００２７】
このような耕耘軸２３，２４の伝動は、前記車体１５後部のＰＴＯ軸３３かヒッチアーム１８間の入力軸３４を連動し、ベベルギヤ３５、伝動軸３６、耕耘伝動ケース２２内のチエン３７等を介して爪軸３８を連動して、この両側の耕耘軸２３，２４を駆動回転する。
【００２８】
前記畦際耕耘装置１及び補助耕耘装置７の上部を覆う耕耘カバー３の、右横端部にはサイドカバー４が取付けられる。上面カバー５は前端部が耕耘カバー３の上側面にカバーピン３９で回動自在に設けられ、後端部を左右へ所定角度に渡って回動できる。この上面カバー５の長穴４０が耕耘カバー３上のピンボルト４１に嵌合させて、回動位置をナット締めで固定することができる。このため、上面カバー５はカバーピン３９の回りに後部を外方へ回動させて扇状に拡張できる。
【００２９】
このような上面カバー５の外側端縁に沿うように側面カバー６がブラケット４２によって取付けられる。この側面カバー６は、前端部を回動ピン４３の回りに上下回動自在に取付け、後部の長穴４４を上面カバー５外側縁のピンボルト４５に嵌合させて、上下回位置をナット締めにより固定することができる。
【００３０】
このようにサイドカバー４は、前部のピン３９，４３の回りに各上面カバー５、側面カバー６が回動調節するため、前端側は畦法面Ｃとの間を広く開いた状態にして、後端側を畦法面Ｃに接近させたり、離間させて、畦土壌の塗付け層を決めることができる。又、畦際耕耘装置１の耕耘によってこの畦Ｃ側へ移行される土壌は、機体の前進に伴って後法へ流れるため、サイドカバー４の拡縮位置によって畦法面Ｃへの土壌量や土載位置が調整される。土壌寄せ量が多いときは、上面カバー５を外側へ移動させる。このとき側面カバー６が低過ぎるため畦法面Ｃに接近して畦法面Ｃへの土載せが悪いときは、この側面カバー６を上昇させて適応する高さに調整する。
【００３１】
上面カバー５と側面カバー６とは、後端側が広く形成されて畦法面Ｃに対向するため、耕耘土壌の移動方向に合わせて、この後端部による土壌案内力が大きく、畦法面Ｃへの土載せを、抵抗少なくして効率的に行わせることができる。
前記畦塗装置２は、畦際耕耘装置１の後側に構成される。フレーム２９の横端の耕耘伝動ケース２２から後方に向って畦塗フレーム４６と、このフレーム４６を覆うカバー４７とを設け、畦塗入力軸４８を畦塗フレーム４６の後部上方に軸装して、前記伝動軸３６との間をチエン４９連動する。畦塗フレーム４６の後部は、フレーム２９から後方に突出されたブラケット５０に対して、ハンドル５１で伸縮調節される伸縮杆５２で連結支持される。このハンドル５１の回動操作で伸縮杆５２を伸縮すると、畦塗フレーム４６がカバー４７や、前記耕耘伝動ケース２２等と一体として、伝動軸３６及びフレーム２９の回りに回動できる。畦塗フレーム４６の後部には、前端部の案内板５３と畦叩板８との間に土寄板５７が設けられて、畦Ｂ側に案内された土壌をこの土寄板５７で畦法面Ｃ側上方へ掻き上げると共に、カバー４７はこの前側をカバーする。畦叩板８，９はこの土寄板５７の後側に前後二連にして設けられるが、三連、四連等の形態とすることもできる。この畦叩板８，９は樋状に形成して、畦法面Ｃの上下方向に沿わせるように畦塗角Ａを形成する構成とする。各畦叩板８，９は前縁をそり状に湾曲したそり面５４を形成して、畦叩作用時に土壌を掬い取らない形態としている。
【００３２】
前記畦塗フレーム４６の後端から下方に突出された支持フレーム５５の下端に、支軸ブラケット５６が一体に設けられる。この支軸ブラケット５６に、畦叩板８，９下端部を支持するボス６１，６２を前後配置する。この前後のボス６１，６２に畦叩板８，９の叩板軸１０を嵌合支持させる。これら各畦叩板８，９の上端側には、揺動ロッド６３，６４が連結されて、クランク軸６５，６６の回転により、回動アーム６７，６８を介して連動される。これらクランク軸６５，６６は、前記入力軸４８からウォームギヤ６９やチエン７０等を介して連動回転される。又、これらのクランク軸６５，６６は伝動による振動を減少するように回転位相をずらせた形態としている。
【００３３】
前記畦叩板８，９の叩板軸１０は、上下にずらせて、後側の畦叩板９側の叩板軸１０を上位に設定しているが、これを同軸に設定するもよい。
又、前記土押出板５７は、上端部を畦フレーム４６の横側に突するブラケット５８に支軸５９で左右揺動自在に支持させ、この下部ではリンクロッド６０で前記畦叩板８の中間部との間を連結して、前記畦叩板８の畦叩揺動によって、このリンクロッド６０を介して土寄板５７の下端側が畦法面Ｃ側へ作動され、案内板５３で案内された土壌を更に畦法面Ｃ側へ押し出すことができる。
【００３４】
前記畦塗板１３は、畦叩板９の後側に設けられる。前記支軸ブラケット５６から後方に向けて突出の支軸７１回りに左右回動自在の塗板軸１３を設け、この塗板軸１３の上部はブラケット７２で前記畦塗フレーム４６の後端に支持させて、ボルト７３によってこの塗板軸１３の畦法面Ｃ側への傾斜角を調節することができる。畦叩板１４は前縁部にボス７４を有し、このボス７４を畦塗軸１３に嵌合させて回動自在に支持構成する。
【００３５】
この畦塗板１４の上部には、揺動ロッド７５が連結されて、前記クランク軸６６によって揺動される回動アーム６８に連動される。この揺動ロッド７５と前記畦叩板９の揺動ロッド６４とは、回動アーム６８に対する連結位相を異にして、揺動による振動を吸収しうる構成としている。又、この畦塗板１４は前側をそり状に湾曲させてそり面７６を形成し、揺動ロッド７５によって塗板軸１３の回りに揺動されても、畦法面Ｃを間歇的に押圧する場合に土壌を掬い難い形態としている。
【００３６】
図８において、上例と異なる点は、前記畦叩板８、及び土押出板５７を作動する連結機構において、回動アーム６７を伸縮可能に設けたもので、ギヤドモータ７７乃至油圧力で伸縮可能のシリンダ７８を設け、回動支軸７９と揺動ロッド６３の連結ピン８０との間の長さＬ１を伸縮することによって、畦叩板８や土押出板５７の畦叩振幅Ｅを変更調節することができる。又、前記畦叩板９の回動アーム６４においても同様に利用できる。
【００３７】
図９において、上例と異なる点は、前記回動アーム６７と畦叩板８との間を連動する揺動ロッド６３に、ギヤドモータ８１乃至油圧力で伸縮されるシリンダ８２を設けて、この揺動ロッド６３の長さＬ２を変更可能とし、畦叩板８の揺動域を左右Ｆに変更することができ、畦塗角Ａを緩、急に変更するものである。このとき土寄板５７の揺動域も同様に変更される。又、畦叩板９の前記揺動ロッド６４にも同様にして利用できる。更に畦塗板１４の揺動ロッド７５についても同様に利用できる。
【００３８】
図１０、図１１において、上例と異なる点を説明する。前記畦叩板８，９や畦塗板１４の上端に天塗板１１，１２，８３を設けて、畦Ｂの上面Ｄを同時に塗上げるものである。畦叩板８，９や畦塗板１４の上方に取付杆８４、及びこれと一体のソケット８５を設け、このソケットに天塗板１１の取付杆８６を差込んでボルト８７で締付けて固定することができ、この取付杆８６を上下動して、畦上面Ｄの畦塗高さを調節できる。
【図面の簡単な説明】
【図１】  畦塗装置部の平面図。
【図２】  そのサイドカバー部の背面図。
【図３】  畦塗機の背面図。
【図４】  その右側面図。
【図５】  その左側面図。
【図６】  その伝動機構図。
【図７】  その畦塗作用を示す斜視図。
【図８】  一部別実施例を示す畦叩板部の背面図。
【図９】  一部別実施例を示す畦叩板部の背面図。
【図１０】  一部別実施例を示す畦叩板部の背面図。
【図１１】  その作用を示す斜視図。
【符号の説明】
１  畦際耕耘装置
２  畦塗装置
３  耕耘カバー
４  サイドカバー
５  上面カバー
６  側面カバー
７  補助耕耘装置
８  畦叩板
９  畦叩板
１０  叩板軸
１１  天塗板
１２  天塗板
１３  塗板軸
１４  畦塗板
【図１】
0004491928.tif 000002
【図２】
0004491928.tif 000003
【図３】
0004491928.tif 000004
【図４】
0004491928.tif 000005
【図５】
0004491928.tif 000006
【図６】
0004491928.tif 000007
【図７】
0004491928.tif 000008
【図８】
0004491928.tif 000009
【図９】
0004491928.tif 000010
【図１０】
0004491928.tif 000011
【図１１】
0004491928.tif 000012